(57)【要約】【課題】  交換ユニットの取り付け作業における安全且つ確実な電源遮断が可能な遊技機を提供する。【解決手段】  筐体(1)内部には、電源ユニット(4)内部の電源をオン状態とオフ状態とに切り換えるための電源操作スイッチ(300)を備え、交換ユニット(2)は、電源操作スイッチ(300)に直接、接触することにより、電源操作スイッチ(300)をオフ状態にするスイッチ操作部(100)を備え、交換ユニット(2)を筐体(1)内部へ装着する際、交換ユニット(2)の装着のための移動に伴って、スイッチ操作部(100)が、筐体(1)内部に設けた電源操作スイッチ(300)に直接、接触して、電源をオフ状態にすることを特徴とする。【選択図】    図７
2006263214.tif 000002
【特許請求の範囲】
【請求項１】
正面側に開口する正面開口部を有する筐体と、
前記正面開口部を開閉自在に塞ぐために前記筐体に取り付ける前扉と、
前記筐体内部に固定して遊技を行うための部品装置を有する交換ユニットと、
前記部品装置へ電源を供給するための電源ユニットとを備えた分離型の遊技機において、
前記筐体内部には、電源ユニット内部の電源をオン状態とオフ状態とに切り換えるための電源操作スイッチを備え、
前記交換ユニットは、前記電源操作スイッチに直接、接触することにより、前記電源操作スイッチをオフ状態にするスイッチ操作部を備え、
前記交換ユニットを前記筐体内部へ装着する際、前記交換ユニットの装着のための移動に伴って、前記スイッチ操作部が、前記筐体内部に設けた前記電源操作スイッチに直接、接触して、電源ユニットの電源をオフ状態にすることを特徴とする遊技機。
【請求項２】
前記電源操作スイッチは、前記電源ユニットの外表面に形成されていることを特徴とする請求項１記載の遊技機。
【請求項３】
前記電源操作スイッチは、正面開口部の手前から直接、手で操作可能に形成されていることを特徴とする請求項１又は請求項２記載の遊技機。
【発明の詳細な説明】
【技術分野】
【０００１】
この発明は、電源が入ったままの状態で交換ユニットを装着することを回避可能な遊技機に関するものである。
【背景技術】
【０００２】
従来、この種の遊技機において、遊技機の電源のオン／オフは、電源ユニットの前面に設けた電源操作スイッチの操作により行っていた（例えば、特許文献１、第１図、特許文献２）。
また、交換ユニットの交換作業における電気的接続作業は、交換可能な交換ユニット内のリールユニット等の装置から延びる電源ケーブルや、制御ケーブルの接続端子を、交換作業者が、筐体内部に固定された接続端子に、手で押し込んで接続しているものが知られている（例えば、特許文献１。）。
すなわち、交換ユニットを筐体から取り外す際には、その前に、交換ユニットから延びる電源ケーブルや制御ケーブルの接続端子を、筐体内部の接続端子から、引き抜いて行っていた。
【０００３】
また、交換ユニットを筐体内部に固定する際には、交換ユニットを筐体内部に移動した後、交換ユニットから延びる電源ケーブルや制御ケーブルの接続端子を、交換作業者が手で持って、筐体内部の接続端子へ、差し込んで接続していた。
【特許文献１】特開２００４−１４１５５９号公報
【特許文献２】特開２００３−４７６８６号公報
【発明の開示】
【発明が解決しようとする課題】
【０００４】
しかし、上記した従来の遊技機では、電源ユニットの前面側の電源操作スイッチのオフ操作を忘れて、交換ユニットを取り付けることがあり得た。このように、電源ユニットの電源操作スイッチをオンにした状態で、制御装置のケーブル等のコネクターを取り付けると、取り付け位置や取り付け方向の間違いにより不正常な端子同士が接触して、過電流が発生するような場合があった。このようなやり方は、異常電圧や異常電流の発生を促し、各種電子部品に故障の原因になるといった問題点があった。
そこで、各請求項にそれぞれ記載された各発明は、上記した従来の技術の有する問題点に鑑みてなされたものであり、その目的とするところは、次の点にある。
【０００５】
（請求項１）  請求項１記載の発明は、上記した従来の技術の有する問題点に鑑みてなされたものであり、その目的とするところは、交換ユニットの取り付け作業における安全且つ確実な電源遮断が可能な遊技機を提供しようとするものである。
（請求項２）  請求項２記載の発明は、上記した請求項１記載の発明の目的に加え、次の点を目的とする。すなわち、請求項２記載の発明は、電源のオンオフを、電源ユニットの外部からも目視で確認可能な遊技機を提供しようとするものである。
（請求項３）  請求項３記載の発明は、上記した請求項１又は請求項２記載の発明の目的に加え、次の点を目的とする。すなわち、請求項３記載の発明は、スイッチ操作部による操作と、手動による操作との両方を１つの電源操作スイッチで対応することができて部品コストの低減化が可能な遊技機を提供しようとするものである。
【課題を解決するための手段】
【０００６】
（請求項１）  請求項１記載の発明は、次の点を特徴とする。すなわち、正面側に開口する正面開口部(11)を有する筐体(1)と、前記正面開口部(11)を開閉自在に塞ぐために前記筐体(1)に取り付ける前扉(3)と、前記筐体(1)内部に固定して遊技を行うための部品装置を有する交換ユニット(2)と、前記部品装置へ電源を供給するための電源ユニット(4)とを備えた分離型の遊技機(S)において、前記筐体(1)内部には、電源ユニット(4)内部の電源をオン状態とオフ状態とに切り換えるための電源操作スイッチ(300)を備え、前記交換ユニット(2)は、前記電源操作スイッチ(300)に直接、接触することにより、前記電源操作スイッチ(300)をオフ状態にするスイッチ操作部(100)を備え、前記交換ユニット(2)を前記筐体(1)内部へ装着する際、前記交換ユニット(2)の装着のための移動に伴って、前記スイッチ操作部(100)が、前記筐体(1)内部に設けた前記電源操作スイッチ(300)に直接、接触して、電源ユニット(4)の電源をオフ状態にすることを特徴とする。
【０００７】
（作用）  本発明は、前記交換ユニット(2)を前記筐体(1)内部へ装着する際、前記交換ユニット(2)の装着のための移動に伴って、前記スイッチ操作部(100)が、前記筐体(1)内部に設けた前記電源操作スイッチ(300)に直接、接触して、電源をオフ状態にする。このため、交換ユニット(2)を筐体(1)内部に装着する場合には、必ず、電源ユニット(4)の電源をオフ状態にすることができる。これにより、誤って電源ユニット(4)の電源をオン状態のまま、交換ユニット(2)を筐体(1)内部に装着することを回避することができる。
結果として、交換ユニット(2)の交換作業の際、誤って、電源ユニット(4)の電源をオンにした状態のままで、交換作業を行って、配線等を行い、部品装置が壊れるようなことや、交換作業者が誤って感電するようなことを回避することができる。これにより、交換ユニット(2)の脱着作業時の安全且つ確実な電源遮断が可能となる。
【０００８】
（請求項２）  請求項２記載の発明は、上記した請求項１記載の発明の特徴点に加え、次の点を特徴とする。すなわち、前記電源操作スイッチ(300)は、前記電源ユニット(4)の外表面に形成されていることを特徴とする。
（作用）  本発明は、電源操作スイッチ(300)が、電源ユニット(4)の外表面に形成されているため、電源ユニット(4)を外部から目視するだけで、電源ユニット(4)の電源がオン状態であるのか、或いはオフ状態であるのかを、簡単に確認することができる。
（請求項３）  請求項３記載の発明は、上記した請求項１又は請求項２記載の発明の特徴点に加え、次の点を特徴とする。すなわち、前記電源操作スイッチ(300)は、正面開口部(11)の手前から直接、手で操作可能に形成されていることを特徴とする。
【０００９】
（作用）  本発明は、電源操作スイッチ(300)が、正面開口部(11)の手前から直接、手で操作可能に形成されている。このため、交換作業者が直接、手動により電源操作スイッチ(300)を操作して、電源ユニット(4)の電源をオフ状態にすることができる。更に、交換ユニット(2)の移動にともなってスイッチ操作部(100)が電源操作スイッチ(300)に接触して電源ユニット(4)の電源をオフ状態にする。このように、電源操作スイッチ(300)を、手動による操作と、スイッチ操作部(100)による操作との両方に使用することができる。これにより、手動による操作専用のスイッチと、スイッチ操作部(100)による操作専用のスイッチとの２つを兼用することができ、両方のスイッチを、別個独立に２つ形成するよりも部品の共通化を図れて、部品コストを低減することができる。
【発明の効果】
【００１０】
本発明は、以上のように構成されているので、以下に記載されるような効果を奏する。
（請求項１）  請求項１記載の発明によれば、次のような効果を奏する。すなわち、請求項１記載の発明によれば、交換ユニットの取り付け作業における安全且つ確実な電源遮断が可能な遊技機を提供することができる。
（請求項２）  請求項２記載の発明によれば、上記した請求項１記載の発明の効果に加え、次のような効果を奏する。すなわち、請求項２記載の発明によれば、電源のオンオフを、電源ユニットの外部からも目視で確認可能な遊技機を提供することができる。
（請求項３）  請求項３記載の発明によれば、上記した請求項１又は請求項２記載の発明の効果に加え、次のような効果を奏する。すなわち、請求項３記載の発明によれば、スイッチ操作部による操作と、手動による操作との両方を１つの電源操作スイッチで対応することができて部品コストの低減化が可能な遊技機を提供することができる。
【発明を実施するための最良の形態】
【００１１】
（第１の形態）
（図面の説明）  図１乃至図１３は、第１の形態を示すものである。
図１は電源ユニットの外観斜視図、図２は交換ユニットの外観斜視図、図３は筐体の外観斜視図、図４は交換ユニットの外観正面図、図５は交換ユニットを筐体に挿入した状態の筐体の一部の外観正面図、図６及び図７はスイッチ操作部が電源操作スイッチを操作している状態の横断面図、図８は上扉、下扉、交換ユニット及び筐体を分解した状態の外観斜視図、図９は上扉及び下扉を筐体から取り外した状態の遊技機の外観斜視図、図１０は交換ユニットを筐体内部に差し込もうとしている状態の概略縦断面図、図１１（ａ），（ｂ）はユニットコネクター及び筐体コネクターの概略側面図であって、（ａ）はユニットコネクターを、筐体コネクターに接続しようとしている状態の概略側面図、（ｂ）はユニットコネクターを、筐体コネクターに接続した状態の概略側面図、図１２及び図１３はユニット側支持部材からユニットコネクターを取り外している状態の外観斜視図をそれぞれ示すものである。
【００１２】
（遊技機S）  本実施の形態に係る遊技機Sは、具体的には、スロットマシンであって、大きく分けて、正面側に開口する正面開口部11を有する筐体1、筐体1内部に着脱自在に設けられる交換ユニット2、筐体1の正面開口部11を開閉可能に塞ぐための前扉3とから構成されている。そして、筐体1の正面開口部11は、筐体1の上部に開口する開口上部13と、筐体1の下部に開口する開口下部14とを備えている。そして、前記前扉3は、筐体1の開口上部13を開閉可能に塞ぐための上扉30と、筐体1の開口下部14を開閉可能に塞ぐための下扉40とを備えている。そして、交換ユニット2の手前側には、上扉30が取り付けられてあり、この交換ユニット2及び上扉30により、上扉30の裏に交換ユニット2を取り付けて、両者が一体となった扉一体型交換ユニット6を形成している。すなわち、通常のいわゆる新台入れ替えの際には、交換ユニット2及び上扉30が一体となった扉一体型交換ユニット6毎に入れ替えることができるものである。もちろん、交換ユニット2から上扉30は、枠体係合部60から上扉係合部61を抜くだけで簡単に外すことができるため、新台入れ替えの際、上扉30は、そのままで、交換ユニット2だけを交換することもできる。
【００１３】
なお、ここで、「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００１４】
（筐体1）  上記筐体1は、全体形状が略箱状であって、底面に配置した底板15と、この底板15の左右端縁から上方に向かって設けられた左右の側板16と、この側板16の上端間に渡した天板17と、左右の側板16の後側の端面間に渡して、裏側を塞ぐ奥板18とからなる正面側に開口するものである。すなわち、底板15と、その左右の側板16と、天板17とにより、四角枠状の四角枠部材19を形成し、この四角枠部材19の正面側に正面開口部11が開口し、四角枠部材19の奥側を奥板18が塞いでいるものである。そして、この筐体1の高さ方向略中央部には、二つの側板16の間に水平方向に中板12が渡してある。そして、この中板12は、扉一体型交換ユニット6を筐体1の奥側内部に案内するためのガイド80を左右側部に備えている。また、中板12は、金属板からなるものである。
【００１５】
前記中板12の手前側には、交換ユニット2のユニット底板140の下面から下方に延びるスイッチ操作部100の移動通路となるスリット130が形成されている。このスリット130は、中板12の手前側の端面から奥方向に向かってスリット状に切りかかれた摺動スリット131である。
そして、中板12の下面には、各部品に電気を供給するための電源ユニット4が固定されている。そして、底板15の上面には、投入された遊技媒体を貯留するとともに受け皿43に遊技媒体を払い出し可能なホッパーユニットとも呼ばれる払い出し装置5が固定されている。
【００１６】
ここで、電源ユニット4の外側表面には、電源ユニット4から遊技機内部の各部品へ供給する電源をオフ状態にするための電源操作スイッチ300や、遊技店側が種々の設定を行うための設定スイッチ等の操作部を有している。ここで、電源ユニット4の電源がオン状態とは、電源ユニット4の電源から遊技機S内部の各部品装置へ電力が供給されている状態を意味している。また、電源ユニット4の電源がオフ状態とは、電源ユニット4の電源から遊技機S内部の各部品装置へ電力が供給されていない状態を意味している。
上記電源ユニット4及び払い出し装置5は、交換ユニット2の交換に際し、必ずしも交換する必要のないものであり、交換時には設置されたままにしておけるようになっているものである。
【００１７】
また、側板16の正面左側の下部には、前記下扉40を係合させ、回転自在に支持するための本体係合部62が、上下方向に間隔をおいて二つ設けられている。
さらに、正面から向かって右側の側板16には、下扉40を閉めた際、下扉40をロックするためのロック突出片69（図９）が、上下方向に間隔をおいて二つ設けられている。
前記筐体1の奥板18の前面には、交換ユニット2以外の筐体1内部に固定する筐体1内部の部品装置へ制御信号を伝達可能な筐体コネクター90が固定されている。この筐体コネクター90は、筐体1内部の奥側の奥板18に前方向に臨むように固定されている。すなわち、この筐体コネクター90は、ユニットコネクター200に接続することにより、交換ユニット2の各部品へ電力や、制御信号を供給するために前方向に接続突起が臨むように配置されている。
【００１８】
具体的には、この筐体コネクター90は、金属板からなる筐体側支持部材230を介して奥板18の前面側に固定されている。この筐体コネクター90は、交換ユニット2の後面に設けられたユニットコネクター200が差し込まれることにより、筐体コネクター90及びユニットコネクター200の間が電気的に接続状態となるものである。この筐体コネクター90は、交換ユニット2を筐体1の内部後方へ向かって押し込むだけで、ユニットコネクター200が筐体コネクター90に差し込まれるような位置に設定されている。
また、筐体1の左右の側板16の内面側には、交換ユニット2の左右のフック部36を引っかけて係合可能な係合クリップ35が固定されている。このフック部36及び係合クリップ35により、交換ユニット2を筐体1に固定するための固定装置10を形成しているものである。
【００１９】
（電源ユニット4）  前記電源ユニット4は、遊技機S内部の部品装置へ電源を供給するためのものである。この電源ユニット4は、中板12の下面に固定されている。この電源ユニット4内部の電源をオフ状態にするための電源操作スイッチ300を備えている。具体的には、この電源ユニット4の向かって右側の側面には、手又はスイッチ操作部100により、電源ユニット4内部の電源をオン状態又はオフ状態に切り換え可能な電源操作スイッチ300としての電源操作側面スイッチ310が配置されている。
（電源操作スイッチ300）  前記電源操作スイッチ300は、電源ユニット4内部から各部品への電力を供給するための電源ユニット4内部の電源を、オン状態と、オフ状態とに切り換えるための操作スイッチである。この電源操作スイッチ300の操作により電源ユニット4内部の電源をオン状態にすると、電源ユニット4から電源供給としての電気信号が、遊技機S内部の各部品へ送出される。そして、この電源操作スイッチ300の操作により電源ユニット4内部の電源をオフ状態にすると、電源ユニット4から電源供給としての電気信号が、遊技機S内部の各部品へ送出されないように形成されている。
【００２０】
この電源操作スイッチ300は、電源ユニット4の外表面に形成されている。そして、電源操作スイッチ300は、正面開口部11の手前から直接、手で操作可能に形成されている。
具体的に説明すると、この電源操作スイッチ300は、電源ユニット4の右側の側面に配置された電源操作側面スイッチ310である。そして、この電源操作側面スイッチ310は、手前側に向かって横方向に傾斜する傾斜面311と、その傾斜面311から左横方向に延びる当接面312とを有して、上面視で三角形の形状に形成されている。そして、この電源操作側面スイッチ310は、電源ユニット4の側面から飛び出している状態（図６）のとき、電源ユニット4の電源をオン状態に維持することができ、電源ユニット4の側面の内部に入り込んでいる状態（図７）のとき、電源ユニット4の電源をオフ状態に維持するように形成されている。そして、この電源操作側面スイッチ310は、電源ユニット4内部に押し込むことで、オン状態とオフ状態との切り換えを行うことができるように形成されている。したがって、図６のように一旦、電源操作側面スイッチ310が、電源ユニット4の側面から飛び出している状態（オン状態）から、支持部材210が通過して、電源操作側面スイッチ310が内部に押し込まれると、支持部材210が通り過ぎた後も、電源操作側面スイッチ310は、押し込まれた状態（オフ状態）を維持するものである。その状態から飛び出している状態（オン状態）へ切り換えるためには、作業者が、手の指により、電源操作側面スイッチ310を一旦、押し込むことにより、引っ込んだ状態（オフ状態）から飛び出している状態（オン状態）へ移行するように形成されているものである。
【００２１】
そして、交換ユニット2を筐体1内部に収納すると、図７に示すような状態となって、電源操作スイッチ300は、押し込まれた状態（オフ状態）を維持し、その後、電源ユニット4の電源をオン状態にするためには、交換作業者が、電源操作側面スイッチ310を一旦、電源ユニット4内部に押し込むことにより、図７の点線で示すような飛び出した状態（オン状態）にすることができる。その際、電源操作側面スイッチ310の当接面312が、スイッチ操作部100の手前側の面に当接し、その状態では、スイッチ操作部100の手前側への移動を阻止することができるものである。これにより、電源ユニット4の電源がオン状態（電源操作側面スイッチ310が飛び出している状態）の場合、当接面312がスイッチ操作部100の移動を阻止して、交換ユニット2を手前側に引き抜けなけないようにすることができる。従って、電源ユニット4の電源がオン状態のまま、筐体コネクター90と、ユニットコネクター200との接続が外れることを回避することができ、電気部品のトラブル発生を防止することができるものである。
【００２２】
（ガイド80）  上記ガイド80は、交換ユニット2を筐体1の奥側内部に案内するためのものである。このガイド80は、中板12の左右に位置して、前後方向に形成された２本の帯板レール状のものであって、交換ユニット2の下部に配置されたローラーが回転移動可能なものである。
（扉一体型交換ユニット6）  上記扉一体型交換ユニット6は、遊技ホールにおける、いわゆる新台入れ替えの際、遊技内容を変更するために筐体1に対して交換可能に形成されているものである。この扉一体型交換ユニット6は、交換ユニット2と、この交換ユニット2の手前側に開閉可能に取り付けられた上扉30とから形成されているものである。この交換ユニット2及び上扉30は、両者が一体となった状態で、筐体1から取り外し、また、取り付けることができるように形成されている。なお、交換ユニット2から上扉30を取り外せば、いわゆる新台入れ替えの際、上扉30はそのまま交換せずに、交換ユニット2だけを交換することができる。このように、交換ユニット2だけの取り付けや、取り外しも可能となるように形成されている。
【００２３】
（交換ユニット2）  上記扉一体型交換ユニット6の交換ユニット2は、筐体1に着脱自在に取り付けられているものである。
前記交換ユニット2は、リールユニット20及び基板ユニット24を装着するための四角枠状の部材を組み合わせた枠21を備えている。すなわち、リールユニット20及び主制御装置25は、これらを装着するための枠21を介して、交換ユニット2に組み込まれているものである。交換ユニット2は、前記枠21の下部に固定されたリールユニット20と、枠21の上部奥側に固定された基板ユニット24とを備えている。
ここで、リールユニット20は、周囲に複数の図柄を表示した３個の回転リール23と、特に図示しないが、それぞれの回転リール23を回転させるための駆動モータを有している。また、前記基板ユニット24は、回転リール23の回転等を制御するための主制御装置25が透明樹脂からなる四角箱状の基板ケース26の内部に収納されているものである。
【００２４】
前記枠21の正面左側の縦枠には、前記上扉30を回転自在に係合するための軸を有する枠体係合部60が、上下方向に間隔をおいて二つ設けられている。なお、この枠体係合部60の軸に、円筒状の円筒部を有する上扉係合部61を上から嵌め込むことにより、上扉30を、かかる軸を中心として回転可能に軸支することができるように形成されている。
さらに、枠21の正面右側の縦枠には、上扉30を閉めた際、上扉30をロックするためのロック突出片69が、上下方向に間隔をおいて二つ設けられている。このように、枠21の左側の枠体係合部60と、枠21の右側のロック突出片69とにより、上扉30が枠21に回動可能に固定され、両者を一体のものにすることができる。
【００２５】
前記交換ユニット2の後面には、前記筐体コネクター90の接続突起が差し込み可能となるように後方に向かって臨むユニットコネクター200が形成されている。このユニットコネクター200は、筐体コネクター90と連結して、交換ユニット2内部の部品装置へ電気信号を伝達可能なものである。なお、ここで、この電気信号には、電源電線を介する電源供給としての電気信号と、信号線を介する制御信号からなる電気信号との両方を意味する。そして、このユニットコネクター200は、交換ユニット2の背面に固定されて、交換ユニット2を筐体1内部に取り付けた状態のときに筐体コネクター90と接合する位置に形成されている。そして、このユニットコネクター200には、ユニットコネクター200から基板ユニット24やリールユニット20へ制御信号を伝達又は電力を供給するためのユニットケーブル201が接続されている。
【００２６】
前記交換ユニット2の枠21の前面側の左右には、筐体1の係合クリップ35に係合可能なフック状のフック部36が固定されている。このフック部36を筐体1の内部左右の係合クリップ35に引っかけることにより、交換ユニット2を筐体1内部に固定することができるものである。すなわち、このフック部36及び係合クリップ35は、交換ユニット2の固定装置10としての役割を有するものである。
（上扉30）  上記上扉30は、筐体1の開口上部13の開閉を行うための扉であって、交換ユニット2の枠21に回転自在かつロック可能に形成されている板状の扉である。そして、上扉30は、略中央部に前記回転リール23の図柄を正面側から見ることができる図柄表示窓31を有し、周囲に飾り部33が設けられ、種々の表示を行うための表示装置32が設けられているものである。
【００２７】
さらに、上扉30の左側の裏面には、前記枠体係合部60の軸に係合可能な円筒状の円筒部を有する上扉係合部61が上下方向に間隔をおいて二つ設けられている。そして、上扉30の右側の裏面には、扉ロック機構7が設けられている。そして、上扉30の裏面上部の左右には、種々の音声を出力するためのスピーカ49が設けられている。
（下扉40）  上記下扉40は、筐体1の開口下部14を開閉自在に塞ぐための、上扉30よりも幅厚の扉であり、筐体1の側板16に回転自在かつロック可能に形成されているものである。
前記下扉40の上部は、遊技機Sを作動させるための操作部41となっており、下扉40の上面は、閉扉時においては、上扉30よりも前側に突出するようになっている。また、下部には払い出されたメダルを溜めておくための箱状の受け皿43が形成されており、下扉40の略中央部には、遊技内容その他の案内表示をするための前パネル50が嵌め込まれている。
【００２８】
前記操作部41としては、下扉40の上面右端には媒体投入口42と、上面左側に設けられたベットスイッチと、正面側にはレバー式のスタートスイッチと、ボタン式のストップスイッチと、鍵穴44とが設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40の扉ロック機構7のロックが解除されるものである。
さらに、下扉40の裏面側には、前記媒体投入口42から投入された遊技媒体を誘導しながら遊技媒体の正偽を判断するための媒体セレクター48が設けられている。
【００２９】
また、下扉40の左側の裏面には、前記本体係合部62と係合可能な下扉係合部63が上下方向に間隔をおいて二つ設けられている。そして、下扉40の右側の裏面には、筐体1のロック突出片69にロック可能なアンカー状のものを有する扉ロック機構7が設けられている。
なお、この下扉40は、上扉30の下部の前側を、前側から覆うような状態で、ロックされる。したがって、上扉30を閉じた状態で、下扉40を閉じた場合、下扉40を開けることなく、上扉30だけを開くことはできないように形成されている。
（筐体コネクター90）  前記筐体コネクター90は、交換ユニット2以外の筐体1内部に固定する筐体1内部の部品装置、具体的には、払い出し装置5や、電源ユニット4等へ電気信号を伝達可能なものである。この筐体コネクター90は、筐体1の奥板18の前面側に支持部材210を介して設けてあるものである。そして、この筐体コネクター90は、筐体1の正面開口部11の内部の奥に位置して、交換ユニット2へ電気信号を出力するため、或いは、交換ユニット2からの電気信号を入力するために前方向に向かって臨むものである。具体的には、この筐体コネクター90は、前方向に向かって延びる複数の接続突起を有している。そして、この接続突起は、交換ユニット2を後方へ押し込むことで、ユニットコネクター200の複数の接続孔に、差し込まれるような位置に形成されている。そして、この筐体コネクター90から延びた筐体ケーブル91は、電源ユニット4や、払い出し装置5と接続されている。筐体コネクター90及びユニットコネクター200が接続状態となることにより、主制御装置25からの制御信号が、払い出し装置5等に出力され、また、電源ユニット4からの電力が、リールユニット20や、主制御装置25へ供給されるものである。
【００３０】
この筐体コネクター90は、筐体側支持部材230を介して、奥板18に固定されている。本実施の形態に係る筐体側支持部材230は、筐体コネクター90の固定位置が移動しないように固定するタイプのものである。しかし、筐体側支持部材230は、特にこのタイプに限定されるものではなく、ユニット側支持部材220のユニット側支持片221のように所定方向に変形可能なタイプのものに形成しても良い。
（ユニットコネクター200）  前記ユニットコネクター200は、筐体コネクター90と連結して、交換ユニット2内部に部品装置へ電気信号を伝達可能なものである。なお、ここで、この電気信号には、電源供給としての電気信号と、制御信号からなる電気信号とのいずれも含むものである。そして、ユニットコネクター200は、交換ユニット2の奥側に位置して、筐体コネクター90に接続可能なものである。交換ユニット2を筐体1の正面開口部11の手前から奥に向かって差し込むと筐体1側の筐体コネクター90と、交換ユニット2のユニットコネクター200とは水平方向に沿って連結するように形成されている。
【００３１】
そして、このユニットコネクター200の取り付け位置は、交換ユニット2を筐体1内部のガイド80に沿って、後方向に押し込むと、筐体1の奥の筐体コネクター90と接続するような位置に固定されている。そして、このユニットコネクター200から交換ユニット2内部の各部品、すなわち、主制御装置25や、リールユニット20へユニットケーブル201が配線されている。
したがって、遊技者は、交換ユニット2の交換作業において、ユニットコネクター200と、筐体コネクター90とを、直接、手で持って両者を差し込んで接続する作業や、或いは、両者を引き離して接続の解除作業を行う必要がない。すなわち、交換ユニット2を筐体1の正面開口部11内部へ押し込むことにより、筐体コネクター90及びユニットコネクター200の接続作業を行うことができ、また、交換ユニット2を筐体1の正面開口部11から前方向へ引き出すことにより、筐体コネクター90及びユニットコネクター200の接続解除の作業を行うことができる。
【００３２】
そして、ユニットコネクター200は交換ユニット2の差し込む方向に対して垂直面方向に変形可能な支持部材210によって交換ユニット2の枠21に固定されている。この支持部材210は、交換ユニット2の枠21に固定される薄板金属の帯板状からなるユニット側支持本体222と、ユニット側支持本体222から外方に延びてユニットコネクター200を保持するユニット側支持片221とを備えている。
前記ユニット側支持本体222は、表裏に開口する二つのコネクター固定孔225が形成されている。このコネクター固定孔225に、ユニットコネクター200が差し込まれるように形成されている。そして、ユニット側支持本体222を交換ユニット2に取り付け、且つ交換ユニット2を筐体1に取り付けた状態で、このコネクター固定孔225の左右の両縁から、前記ユニット側支持片221が奥板18側に向かって延びるように形成されている。このユニット側支持片221は、金属薄板からなり、全体形状が略台形状に形成されてあり、その先端側には、ユニットコネクター200を固定するためのナットが溶接されている。すなわち、ユニットコネクター200は、かかるユニット側支持片221の先端において、ボルトからなる締結部材により固定されているものである。そして、このユニット側支持片221は、薄板金属からなるため、水平方向（左右横方向）に対して、簡単に変形しやすいように形成されている。すなわち、ユニットコネクター200の支持部材210は、交換ユニット2を差し込む方向に対して垂直な面内の中で水平方向に変形可能に形成されているものである。これにより、ユニットコネクター200の水平方向（左右横方向）への移動が容易に行われ、水平方向への移動による位置調整の微調整を簡単に行うことができるものである。
【００３３】
なお、ここで、ユニット側支持片221は、コネクター固定孔225の左右縁に形成しているが、特にこれに限定されるものではない。具体的には、例えば、ユニット側支持片221を、コネクター固定孔225の上下の縁に形成しても良いものである。このようにユニット側支持片221を、上下縁に形成すると、ユニット側支持片221は上下方向、すなわち縦方向に対して、簡単に変形することができる。すなわち、ユニットコネクター200の支持部材210は、交換ユニット2を差し込む方向に対して垂直な面内の中で縦方向に変形可能に形成されているものである。これにより、ユニットコネクター200の縦方向（上下方向）への移動が容易に行われ、縦方向への移動による位置調整の微調整を簡単に行うことができるものである。
【００３４】
（ユニット内接続端子240）  前記ユニット内接続端子240は、ユニットコネクター200の手前側に位置して、ユニットコネクター200の下面となる上下方向の位置に、交換ユニット2内の電気部品（リールユニット20や、基板ユニット24等）からのユニットケーブル201を接続するためのものである。
本実施の形態は、ユニット内接続端子240を、ユニットコネクター200の手前側の下面の位置に設けている。このため、ユニット内接続端子240を設けた以外の部分、すなわち、ユニット内接続端子240を設けたユニットコネクター200の手前側の下面を除いた部分に、手前側から見て、障害物となるようなケーブルや接続端子等の配置を排除することができる。これにより、筐体コネクター90及びユニットコネクター200の連結部及びその周囲の隠れる部分を少なくすることができて、コネクター周辺に不正操作を行うような、いわゆるゴト行為の発見を容易なものにすることができる。
【００３５】
（スイッチ操作部100）  前記スイッチ操作部100は、交換ユニット2の下面の板状のユニット底板140から下方に向かって突出するように固定されているものである。このスイッチ操作部100は、電源ユニット4の電源操作側面スイッチ310に直接、接触することにより、電源ユニット4の電源操作側面スイッチ310をオフ状態にするためのものである。交換ユニット2を筐体1内部へ装着する際、交換ユニット2の装着のための奥方向への移動に伴って、スイッチ操作部100が、筐体1内部に設けた電源操作側面スイッチ310に直接、接触して、電源ユニット4の電源をオフ状態にするものである。
前記スイッチ操作部100は、ユニット底板140から下方に向かって突出する棒状の下突出操作部110からなるものである。この下突出操作部110は、その断面が六角形状であって、全体形状が略角柱状の棒状に形成されている。この下突出操作部110の奥側の左右の角部は、切りかかれた切り欠き傾斜面111を備えている。
【００３６】
前記下突出操作部110は、交換ユニット2を筐体1内部に押し込む際、中板12のスリット130としての摺動スリット131から下方に突出した状態で、奥方向に移動可能に形成されている。そして、更に、交換ユニット2を奥方向に押し込むと、下突出操作部110の切り欠き傾斜面111が、電源操作側面スイッチ310の傾斜面311に当接して、電源操作側面スイッチ310を電源ユニット4内部に押し込む。これにより、電源操作側面スイッチ310が電源ユニット4の側面から飛び出したオン状態から、電源ユニット4の側面内部側へ引っ込むオフ状態へ移動する。結果として、交換ユニット2を筐体1内部に押し込むことにより、電源操作側面スイッチ310を押し込んで、電源ユニット4の電源をオン状態からオフ状態へ切り換えることができる。そして、電源操作側面スイッチ310を一旦、オフ状態となるように押し込むと、図７の実線で示す状態のように押し込まれた状態のまま保持される。そして、交換ユニット2を筐体1内部に収納配置した後、作業者が、手の指により、電源操作側面スイッチ310を再度、押し込むと、図７の点線で示すように、電源操作側面スイッチ310が電源ユニット4の側面から突出するオン状態を維持する。その状態では、下突出操作部110の背面が、電源操作側面スイッチ310の当接面312に当接した状態となる。したがって、電源ユニット4の電源がオン状態（飛び出している状態）のままで、交換ユニット2を手前側に移動させようとしても、下突出操作部110の背面が、電源操作側面スイッチ310の当接面312に当接して、交換ユニット2を手前側に移動することができない。これにより、電源ユニット4の電源をオン状態のまま、交換ユニット2の手前側への引き出しを防止することができる。
【００３７】
（交換ユニット2の取り付け手順）  交換ユニット2の取り付け手順を説明する。
（１）交換ユニット2を中板12に載せてガイド80に沿って滑らせながら筐体1の奥の所定位置まで押し込む。
（２）その際、電源ユニット4の電源がオン状態になっている場合、電源操作側面スイッチ310が電源ユニット4の側面から突出した状態となっており、下突出操作部110が、交換ユニット2の移動にともなって、電源操作側面スイッチ310を電源ユニット4内部へ押し込む。これにより、電源ユニット4の電源がオフ状態となる。
（３）更に、交換ユニット2を押し込みながら、筐体コネクター90をユニットコネクター200に接続する。交換ユニット2を押し込むだけで、筐体コネクター90及びユニットコネクター200の接続が完了する。
【００３８】
（４）交換ユニット2のフック部36を、筐体1の係合クリップ35に引っかけて、両者を係合状態にする。これにより、交換ユニット2のロックが完了する。
（交換ユニット2の取り外し手順）  交換ユニット2を筐体1から取り外す手順を説明する。
（１）遊技者の手の指により、突出してオン状態になっているいる電源操作側面スイッチ310を押し込んで、引っ込んだオフ状態にする。
（２）交換ユニット2のフック部36を、筐体1の係合クリップ35から取り外し、交換ユニット2のロック状態を解除する。これにより、交換ユニット2のロックが解除される。
【００３９】
（４）交換ユニット2を手前側に引いて、ユニットコネクター200を筐体コネクター90から外す。なお、電源操作スイッチ300を引っ込んだ状態にして、電源ユニット4の電源をオフ状態にしていないと、電源操作側面スイッチ310の当接面312が下突出操作部110の前面側に当接して、交換ユニット2を手前側に移動させることはできない。よって、交換ユニット2の交換作業において、誤って電源ユニット4の電源をオン状態にしたまま取り外して遊技機S内部の電気部品が破損するといった心配もない。
（５）交換ユニット2をそのまま手前に引き出して取り外しが完了する。
（作用）  本実施の形態において、筐体コネクター90は、筐体1の奥板18の前面側に設けられ、ユニットコネクター200は、交換ユニット2の奥側に位置し、筐体コネクター90に接続可能に形成されている。そして、交換ユニット2を筐体1の正面開口部11の手前から奥に向かって差し込むと、筐体コネクター90及びユニットコネクター200は水平方向に沿って連結するように形成されている。
【００４０】
このため、交換ユニット2を正面開口部11の手前から奥に向かって、差し込むだけで、交換ユニット2の奥側に位置するユニットコネクター200を、筐体1の奥板18の前面側の筐体コネクター90に連結することができる。これにより、交換ユニット2からのユニットコネクター200を、手で、筐体コネクター90にそれぞれ接続するようなものと比較して、交換ユニット2を筐体1の正面開口部11内部に差し込むだけで、接続作業も終了させることができる。
また、交換ユニット2を正面開口部11の奥側から手前側に向かって、引っ張り出すだけで、交換ユニット2の奥側に位置するユニットコネクター200を、筐体1の奥板18の前面側の筐体コネクター90から引き離して、接続状態を解除することができる。これにより、ユニットコネクター200を、手で、筐体コネクター90から引き抜くようなものと比較して、交換ユニット2を筐体1の正面開口部11から引き出すだけで、接続解除作業を終了させることができる。
【００４１】
したがって、交換ユニット2の交換作業におけるユニットコネクター200と筐体コネクター90との接続作業や接続解除作業を容易なものにすることができ、結果として、交換ユニット2の交換作業を容易なものにすることができる。また、接続するコネクター同士が複数個存在しても、対応するコネクターの位置は、筐体1及び交換ユニット2で予め固定されているため、接続するコネクター同士の組み合わせを間違えるようなことを回避することができ、また、複数のコネクターの連結を、一度に終了させることができて、連結作業を確実且つ効率的に行うことができる。
そして、支持部材210のユニット側支持部材220が、ユニットコネクター200を交換ユニット2に固定している。そして、このユニット側支持部材220は、ユニット側支持片221により交換ユニット2を差し込む方向に対して垂直面方向（具体的には、水平方向）に変形可能に形成されている。このため、かかるユニット側支持部材220のユニット側支持片221が水平方向に変形することにより、ユニットコネクター200を、水平方向に移動させることができる。これにより、交換作業におけるコネクター同士の連結作業において、交換ユニット2を筐体1の正面開口部11内部に差し込んだ際、筐体コネクター90及びユニットコネクター200の位置が完全に整合しておらず、僅かに横方向にずれているような場合であっても、筐体1と、交換ユニット2との位置関係を移動させることなく、ユニットコネクター200を、左右方向、すなわち横方向に移動させて、筐体コネクター90及びユニットコネクター200の両者の位置が完全に整合して、正確に連結するように微調整することができる。これにより、コネクター同士の接続位置の微調整も容易に行うことができて、交換ユニット2の交換作業におけるコネクターの接続作業を更に容易なものにすることができ、結果として、交換ユニット2の交換作業を更に容易なものにすることができる。
【００４２】
しかも、交換ユニット2は、ガイド80により上下方向の移動は制限されている。また、交換ユニット2は、正面開口部11の内部に、左右方向に対しても略隙間なくはめ込まれているため、交換ユニット2を前方向に移動させる場合、上下左右にぶれることなく、真っ直ぐに前方向へ或いは、後方向へ移動させることができる。これにより、手で、筐体コネクター90や、ユニットコネクター200に相当するものを、引き離すような場合と比較して、筐体コネクター90及びユニットコネクター200を上下左右にぶれることなく、直線上に沿って真っ直ぐ引き離すことができ、各コネクター内部の接続突起を、上下左右に曲げて損耗したり、損傷させるようなことを回避することができ、筐体コネクター90及びユニットコネクター200が損耗等を原因として接続不良となるような故障の発生を抑えることができる。
【００４３】
更に、ユニット側支持部材220が、水平方向に移動可能であるため、交換ユニット2を取り付け、取り外し作業の途中において、交換ユニット2と、筐体1との間に異なる方向の力が加わって、交換ユニット2と、筐体1とが異なる方向に移動しても、その力がユニットコネクター200と筐体コネクター90との間の接続箇所に集中することを回避することができる。すなわち、ユニット側支持部材220が、かかる力が接続箇所に集中することを防ぎ、緩衝材としての役割を果たすものである。これにより、かかる場合のユニットコネクター200及び筐体コネクター90の接続箇所が破損することを回避することができる。
前記交換ユニット2を前記筐体1内部へ装着する際、前記交換ユニット2の装着のための奥方向への移動に伴って、前記スイッチ操作部100が、前記筐体1内部に設けた前記電源操作スイッチ300に直接、接触して、電源をオフ状態にする。このため、交換ユニット2を筐体1内部に装着する場合には、必ず、電源ユニット4の電源をオフ状態にすることができる。これにより、誤って電源ユニット4の電源をオン状態のまま、交換ユニット2を筐体1内部に装着することを回避することができる。
【００４４】
結果として、交換ユニット2の交換作業の際、誤って、電源ユニット4の電源をオンにした状態のままで、交換作業を行って、コネクター同士の接続を行い過電流が流れることにより部品装置が壊れるようなことや、交換作業者が誤って感電するようなことを回避することができる。これにより、交換ユニット2の脱着作業時の安全且つ確実な電源遮断が可能となる。
そして、電源操作スイッチ300が、電源ユニット4の外表面に形成されているため、電源ユニット4を外部から目視するだけで、電源ユニット4の電源がオン状態であるのか、或いはオフ状態であるのかを、簡単に確認することができる。
【００４５】
更に、電源操作スイッチ300が、正面開口部11の手前から直接、手で操作可能に形成されている。これにより、手動による操作専用のスイッチと、スイッチ操作部100による操作専用のスイッチとの２つを兼用することができ、両方のスイッチを、別個独立に２つ形成するよりも部品の共通化を図れて、部品コストを低減することができる。
（第２の形態）  図１４乃至図１７は、第２の形態であって、図１４は交換ユニットの外観斜視図、図１５は電源ユニットの外観斜視図、図１６は交換ユニットを筐体内部に差し込もうとしている状態の概略縦断面図、図１７はスイッチ操作部電源操作スイッチ及びスリットの外観斜視図をそれぞれ示す。
【００４６】
本形態では、電源操作スイッチ300が電源ユニット4の正面側に形成され、スイッチ操作部100が、かかる電源ユニット4の正面側の電源操作スイッチ300を操作可能に形成されているものである。以下に、第１の形態と異なる部分を主として説明する。
前記電源操作スイッチ300は、電源ユニット4の正面側の略中央付近に配置した電源操作正面スイッチ320を備えている。この電源操作正面スイッチ320は、図１５に示すように、正面から向かって左側の部分が突出して右側の部分が引っ込んでいる状態の場合、電源ユニット4の電源がオン状態となるものである。そして、左側の部分が引っ込んで、右側の部分が突出している状態の場合、電源ユニット4の電源がオフ状態となるものである。なお、電源操作正面スイッチ320の左側の部分と、右側の部分とは、全体形状として略Ｍ字状の一体に形成されているものであって、その略中央で、回転可能に軸支されているものである。
【００４７】
前記スイッチ操作部100は、図１４に示すように、交換ユニット2のユニット底板140の前面側の左側に固定されて全体形状が略Ｌ字状のＬ状操作部120からなるものである。このＬ状操作部120は、交換ユニット2のユニット底板140の手前側の左側付近に、回転軸121により、回転軸121を回転の中心として回転可能に軸支されている。そして、このＬ状操作部120は、長手方向の途中で、直角方向に折れ曲がり、全体形状として、略Ｌ字状に形成されている。具体的には、図１７に示すように、Ｌ状操作部120を、下方に向かって突出させた場合、Ｌ状操作部120の長手方向の途中で、奥方向に向かって９０度の角度で折れ曲がっているものである。
【００４８】
そして、ユニット底板140の回転軸121の付近には、回転するＬ状操作部120を収納可能なスリット130としての収納スリット132が形成されている。この収納スリット132は、Ｌ状操作部120の先端側の折れ曲がった部分が収納可能な位置及び形状に形成されている。
このＬ状操作部120は、交換ユニット2を筐体1内部に装着する際、交換ユニット2の装着のための奥方向に向かって移動する途中で、図１６の２点鎖線で示すように、Ｌ状操作部120の折れ曲がった先端部が、電源操作正面スイッチ320の左側を押し込む。これにより、電源操作正面スイッチ320の左側を押し込んで、電源ユニット4の電源をオフ状態にすることができる。なお、ユニット底板140の収納スリット132に対応する中板12の箇所には、収納スリット132と同様の形状をしたスリットが形成されている。これにより、図１７の２点鎖線で示すように、Ｌ状操作部120を収納することができる。
【００４９】
そして、Ｌ状操作部120を９０度回転させて、Ｌ状操作部120の折曲がった部分を収納スリット132内部に収納し、かかる収納した状態で、交換ユニット2を筐体1内部に押し込んで、交換ユニット2の装着が完了する。
したがって、交換ユニット2を筐体1内部に装着する際、電源ユニット4の電源がオン状態になっている場合、かかるＬ状操作部120で、電源操作正面スイッチ320の左側を引っ込ませてオフ状態にすることができる。
結果として、交換ユニット2の交換作業の際、誤って、電源ユニット4の電源をオンにした状態のままで、交換ユニット2の取り付け作業を行って、コネクター同士の接続を行い過電流が流れることにより部品装置が壊れるようなことや、交換作業者が誤って感電するようなことを回避することができる。これにより、交換ユニット2の脱着作業時の安全且つ確実な電源遮断が可能となる。
【００５０】
なお、交換ユニット2を取り外す際には、交換作業が、手の指により、Ｌ状操作部120の左側を押し込んで、電源ユニット4の電源をオフ状態にした後、交換ユニット2を引っ張って、取り外すものである。
【図面の簡単な説明】
【００５１】
【図１】第１の形態であって、電源ユニットを示す外観斜視図である。
【図２】第１の形態であって、交換ユニットを示す外観斜視図である。
【図３】第１の形態であって、筐体を示す外観斜視図である。
【図４】第１の形態であって、交換ユニットを示す外観正面図である。
【図５】第１の形態であって、交換ユニットを筐体に挿入した状態の筐体の一部を示す外観正面図である。
【図６】第１の形態であって、スイッチ操作部が電源操作スイッチを操作している状態を示す横断面図である。
【図７】第１の形態であって、スイッチ操作部が電源操作スイッチを操作している状態を示す横断面図である。
【図８】第１の形態であって、上扉、下扉、交換ユニット及び筐体を分解した状態を示す外観斜視図である。
【図９】第１の形態であって、上扉及び下扉を筐体から取り外した状態の遊技機を示す外観斜視図である。
【図１０】第１の形態であって、交換ユニットを筐体内部に差し込もうとしている状態を示す概略縦断面図である。
【図１１】第１の形態に係るユニットコネクター及び筐体コネクターの概略側面図であって、（ａ）はユニットコネクターを、筐体コネクターに接続しようとしている状態を示す概略側面図、（ｂ）はユニットコネクターを、筐体コネクターに接続した状態を示す概略側面図である。
【図１２】第１の形態であって、ユニット側支持部材からユニットコネクターを取り外している状態を示す外観斜視図である。
【図１３】第１の形態であって、ユニット側支持部材からユニットコネクターを取り外している状態を示す外観斜視図である。
【図１４】第２の形態であって、交換ユニットを示す外観斜視図である。
【図１５】第２の形態であって、電源ユニットを示す外観斜視図である。
【図１６】第２の形態であって、交換ユニットを筐体内部に差し込もうとしている状態を示す概略縦断面図である。
【図１７】第２の形態であって、スイッチ操作部電源操作スイッチ及びスリットを示す外観斜視図である。
【符号の説明】
【００５２】
S  遊技機                              1  筐体
2  交換ユニット                        3  前扉
4  電源ユニット                          5  払い出し装置
6  扉一体型交換ユニット                7  扉ロック機構
10  固定装置                            11  正面開口部
12  中板                                13  開口上部
14  開口下部                            15  底板
16  側板                                17  天板
18  奥板                                19  四角枠部材
20  リールユニット                      21  枠
23  回転リール                          24  基板ユニット
25  主制御装置                          26  基板ケース
30  上扉                                31  表示窓
32  表示装置                            33  飾り部
35  係合クリップ                        36  フック部
40  下扉                                41  操作部
42  媒体投入口                          43  受け皿
44  鍵穴                                48  媒体セレクター
49  スピーカー                          50  前パネル
60  枠体係合部                          61  上扉係合部
62  本体係合部                          63  下扉係合部
69  ロック突出片                        80  ガイド
90  筐体コネクター                      91  筐体ケーブル
100  スイッチ操作部                    110  下突出操作部
111  切り欠き傾斜面                    120  Ｌ状操作部
121  回転軸                            130  スリット
131  摺動スリット                      132  収納スリット
140  ユニット底板                      200  ユニットコネクター
201  ユニットケーブル                  210  支持部材
220  ユニット側支持部材                221  ユニット側支持片
222  ユニット側支持本体                225  コネクター固定孔
230  筐体側支持部材                    240  ユニット内接続端子
300  電源操作スイッチ                  310  電源操作側面スイッチ
311  傾斜面                            312  当接面
320  電源操作正面スイッチ
【図１】
2006263214.tif 000003
【図２】
2006263214.tif 000004
【図３】
2006263214.tif 000005
【図４】
2006263214.tif 000006
【図５】
2006263214.tif 000007
【図６】
2006263214.tif 000008
【図７】
2006263214.tif 000009
【図８】
2006263214.tif 000010
【図９】
2006263214.tif 000011
【図１０】
2006263214.tif 000012
【図１１】
2006263214.tif 000013
【図１２】
2006263214.tif 000014
【図１３】
2006263214.tif 000015
【図１４】
2006263214.tif 000016
【図１５】
2006263214.tif 000017
【図１６】
2006263214.tif 000018
【図１７】
2006263214.tif 000019